(57)【特許請求の範囲】
【請求項１】
上下の横枠と左右の縦枠とが枠組みされた枠体と、
一方の前記縦枠側にて回動自在に支持され、回動することにより前記枠体にて形成される開口を開閉可能な障子と、
前記一方の縦枠に設けられ前記障子に当接される枠側当接部材と、
を有し、
前記障子は、前記一方の縦枠側の端部に設けられ、当該障子が閉止されているときには、前記一方の縦枠との間にて圧縮されており、前記障子が回動する際には前記枠側当接部材と摺接し続けて、前記一方の縦枠と当該障子との間を閉塞し続ける閉塞部材を有することを特徴とする建具。
【請求項２】
請求項１に記載の建具であって、
前記枠側当接部材は、見込み方向において、前記閉止された状態の障子に対し、開かれたときに前記障子が張り出す側となる障子張出側とは反対側に設けられ、前記障子張出側に向かって突出していることを特徴とする建具。
【請求項３】
請求項１または請求項２に記載の建具であって、
前記閉塞部材は、前記障子の見付け方向に圧縮可能な中空部を有することを特徴とする建具。
【請求項４】
請求項３に記載の建具であって、
前記中空部の外周側の輪郭は、前記障子が回動する際の回動中心と同心の曲面にて形成されていることを特徴とする建具。
【請求項５】
請求項４に記載の建具であって、
前記回動中心は、閉止状態における前記障子の見込み方向における中央より前記障子張出側に設けられており、前記閉塞部材は、前記障子の見込み方向の幅より前記障子張出側に延出されていることを特徴とする建具。
【請求項６】
請求項３乃至請求項５のいずれかに記載の建具であって、
前記閉塞部材は、前記中空部を形成する部位が、当該中空部の変形を助長すべく、他の部位より硬度が低い部位を有していることを特徴とする建具。
【請求項７】
請求項１乃至請求項６のいずれかに記載の建具であって、
前記閉塞部材は、前記枠側当接部材より前記障子張出側にて前記一方の縦枠との間にて圧縮されることを特徴とする建具。
【請求項８】
請求項１乃至請求項７のいずれかに記載の建具であって、
前記障子は、浴室と脱衣室とを仕切る浴室ドアであって、前記障子は開かれたときに前記浴室側に張り出すことを特徴とする建具。
【発明の詳細な説明】
【技術分野】
【０００１】
本発明は、上下の横枠と左右の縦枠とが枠組みされた枠体に回動自在に支持された障子を有する建具に関する。
【背景技術】
【０００２】
上下の横枠と左右の縦枠とが枠組みされた枠体に回動自在に支持された障子を有する建具としては、例えば、隣接する扉体が丁番にて折り畳み自在に枢支連結され、扉体の丁番とは反対側が軸支されて回動自在に建て込まれた浴室用折り戸が知られている（例えば、特許文献１参照）。
【先行技術文献】
【特許文献】
【０００３】
【特許文献１】実開平４−１２９２９６号公報
【発明の概要】
【発明が解決しようとする課題】
【０００４】
上記のような浴室用折り戸は、扉体を開く際には、隣接する扉体が丁番にて連結された部位が、見込み方向に突出しつつ２枚の扉体が折り重なるように畳まれ、また閉める際には、隣接する扉体が丁番にて連結された部位が、上下に設けられたレール側に移動しつつ平坦に広がって閉塞される。このとき、扉体の丁番とは反対側にて軸支された吊り元側の障子の端面は、浴室用折り戸が設けられている開口を形成する部位との間に隙間が開いたり閉じたりする。このため、折り戸の開閉時に、折り戸の端部と開口を形成する部位との間にて指を挟む虞があるという課題がある。
【０００５】
本発明は、かかる課題に鑑みてなされたものであり、その目的とするところは、回動する障子を備えつつも指を挟むことがない建具を提供することにある。
【課題を解決するための手段】
【０００６】
かかる目的を達成するために本発明の建具は、上下の横枠と左右の縦枠とが枠組みされた枠体と、一方の前記縦枠側にて回動自在に支持され、回動することにより前記枠体にて形成される開口を開閉可能な障子と、前記一方の縦枠に設けられ前記障子に当接される枠側当接部材と、を有し、前記障子は、前記一方の縦枠側の端部に設けられ、当該障子が閉止されているときには、前記一方の縦枠との間にて圧縮されており、前記障子が回動する際には前記枠側当接部材と摺接し続けて、前記一方の縦枠と当該障子との間を閉塞し続ける閉塞部材を有することを特徴とする建具である。
【０００７】
このような建具によれば、枠組みされた枠体の一方の縦枠と、枠体の一方の縦枠側に回動自在に支持された障子との間は、枠側当接部材と閉塞部材とにて障子が回動する際に摺接して閉塞されているので、障子が回動したとしても一方の縦枠と障子との間に空隙が生じない。このため、指を挟むことがない建具を提供することが可能である。また、閉塞部材は、障子が閉止されているときには一方の縦枠との間にて圧縮されているので、障子と一方の縦枠との間の水密性を確保することが可能である。このため、指を挟むことがないばかりでなく水密性にも優れた建具を提供することが可能である。
【０００８】
かかる建具であって、前記枠側当接部材は、見込み方向において、前記閉止された状態の障子に対し、開かれたときに前記障子が張り出す側となる障子張出側とは反対側に設けられ、前記障子張出側に向かって突出していることが望ましい。  
通常、障子が回動する開き戸は、障子を開く際には、閉止された状態の障子に対して当該障子が張り出す側となる障子張出側とは反対側において、障子と一方の縦枠との間の、手前の空間が広くなり、指が近づきやすくなる。上記の建具によれば、枠側当接部材が、見込み方向において、閉止された状態の障子に対し、障子が開かれたときに当該障子が張り出す障子張出側とは反対側に設けられているので、障子を開く際に、障子と一方の縦枠との間に指が近づきやすくなる側に、枠側当接部材が位置している。このため、より効果的に指を挟むことを防止することが可能である。また、枠側当接部材は、障子張出側に向かって突出されているので、障子を閉じた際に枠側当接部材が、枠体の面外方向に突出しにくい。このため、意匠性にも優れた建具を提供することが可能である。
【０００９】
かかる建具であって、前記閉塞部材は、前記障子の見付け方向に圧縮可能な中空部を有することが望ましい。  
このような建具によれば、閉塞部材が障子の見付け方向に圧縮可能な中空部を有しているので、中実な部材より同一の力に対する変形量を大きくすることが可能である。このため、閉塞部材を中空部にて圧縮することにより、より大きく変形させて確実に圧縮させることが可能である。
【００１０】
かかる建具であって、前記中空部の外周側の輪郭は、前記障子が回動する際の回動中心と同心の曲面にて形成されていることが望ましい。  
このような建具によれば、回動中心と中空部の外周側にて輪郭を形成する部位との距離がほぼ一定なので、閉塞部材が障子と一方の縦枠との間にて圧縮される際には、ほぼ一定の力にて、ほぼ同様に圧縮させることが可能である。
【００１１】
かかる建具であって、前記回動中心は、閉止状態における前記障子の見込み方向における中央より前記障子張出側に設けられており、前記閉塞部材は、前記障子の見込み方向の幅より前記障子張出側に延出されていることが望ましい。  
このような建具によれば、障子の回動中心が、閉止状態における障子の見込み方向における中央より障子張出側に偏った位置に設けられ、閉塞部材は障子の見込み方向の幅より障子張出側に延出されているので、障子が開き始めても即座に縦枠と閉塞部材とが離れず、閉塞部材が圧縮されている状態を維持することが可能である。
【００１２】
かかる建具であって、前記閉塞部材は、前記中空部を形成する部位が、当該中空部の変形を助長すべく、他の部位より硬度が低い部位を有していることが望ましい。  
このような建具によれば、閉塞部材は、中空部が変形し易いように、中空部を形成する部位が他の部位より硬度が低い低硬度部が設けられているので、障子の開閉操作により容易に中空部を変形させて圧縮させることが可能である。
【００１３】
かかる建具であって、前記閉塞部材は、前記枠側当接部材より前記障子張出側にて前記一方の縦枠との間にて圧縮されることが望ましい。  
このような建具によれば、障子と一方の縦枠との間に指が近づきやすい、障子張出側とは反対側にて障子と一方の縦枠との間を閉塞し、閉塞された部位の障子張出側にて閉塞部材が圧縮されているので、障子張出側の湿気等の進入を防止することが可能である。また、障子と一方の縦枠との間は、圧縮された閉塞部材と、閉塞部材に当接された枠側当接部材とにより二重に閉塞されているので、より高い水密性を確保することが可能である。
【００１４】
かかる建具であって、前記障子は、浴室と脱衣室とを仕切る浴室ドアであって、前記障子は開かれたときに前記浴室側に張り出すことが望ましい。  
このような建具によれば、障子は、浴室と脱衣室とを仕切る浴室ドアであり、浴室側が
、障子を開く際に当該障子が張り出す障子張出側なので、浴室の湿気等が脱衣室側に進入
することを防止することが可能である。
【発明の効果】
【００１５】
本発明によれば、回動する障子を備えつつも指を挟むことがない建具を提供することが可能である。
【図面の簡単な説明】
【００１６】
【図１】本実施形態に係る建具の外観図である。
【図２】本実施形態に係る建具の縦断面図である。
【図３】本実施形態に係る建具の横断面図である。
【図４】障子の回動時における枠側シール材及び水密材の状態を説明するための図である。
【図５】水密材の変形例を示す図である。
【発明を実施するための形態】
【００１７】
以下、本発明の一実施形態に係る建具について図面を参照して説明する。  
本実施形態の建具１は、浴室と脱衣室とを仕切る障子としての浴室ドアを備えた浴室用の建具を例に挙げて説明する。
【００１８】
以下の説明においては、建物等に取り付けられた状態の浴室用の建具１を脱衣室側から見たときに、上下となる方向を上下方向、左右となる方向を左右方向または見付け方向、室内外方向である奥行き方向を見込み方向として示す。また、浴室用の建具１が備える各部材は、単体として説明する場合であっても、建物等に取り付けられた状態で上下方向、見付け方向、見込み方向等となる方向にて方向を特定して説明する。
【００１９】
本実施形態の建具１は、図１、図２に示すように、上下の横枠としての上枠１１及び下枠１２と左右の縦枠としての左縦枠１３及び右縦枠１４とが枠組みされた枠体１０と、一方の縦枠側としての左縦枠１３側にて回動自在に支持され、回動することにより枠体１０にて形成される開口を開閉可能な障子２０と、左縦枠１３側に設けられ障子２０側に当接される枠側当接部材としての枠側シール材３０（図３）と、を有している。上枠１１、下枠１２、左縦枠１３、右縦枠１４は、いずれも押出成形部材であり、左縦枠１３と右縦枠１４とは、同一部材が左右が反転した対称形状となるように配置されて枠組みされている。以下の説明では、左縦枠１３について詳細に説明し、右縦枠１４の説明は省略するが、左縦枠１３と対応する右縦枠１４の部位には、各名称の左右を入れ替えるとともに、付す符号の数字を入れ替えて説明する。たとえば、後述する左縦枠本体１３ａと対応する右縦枠１４の部位は、右縦枠本体１４ａとして示す。
【００２０】
左縦枠１３は、水平断面がほぼ長方形状をなす中空部にて形成された左縦枠本体１３ａと、左縦枠本体１３ａの、枠体１０における内周側、すなわち右縦枠１４に臨む面を有する右側壁１３ｂから右縦枠側に延出された見付け方向延出部１３ｃと、右側壁１３ｂと繋がって左縦枠本体１３ａより脱衣室側に延出された見込み方向延出部１３ｄと、を有している。
【００２１】
左縦枠１３は、枠組みされた枠体１０の状態にて、左縦枠本体１３ａに枠体１０の内周側から締め込まれて、浴室を区画する壁部材に螺合されるビスと、見込み方向延出部１３ｄに枠体１０の内周側から締め込まれて、脱衣室側に設けられた額縁に螺合されるビスとにて固定されている。また、見付け方向延出部１３ｃは、左縦枠本体１３ａの脱衣室側の端部近傍から、障子２０の回動軸の中心より僅かに左縦枠本体１３ａ側の位置まで延出されている。また、見付け方向延出部１３ｃの先端には、枠側シール材３０の嵌合基部３０ａが嵌合されるシール材嵌合部１３ｅが設けられている。シール材嵌合部１３ｅには、枠側シール材３０が挿入されるスリット１３ｆが、浴室側に臨む面に形成されている。
【００２２】
障子２０は、左縦枠１３と対称となるように配置された右縦枠１４の右縦枠本体１４ａと、左縦枠１３の左縦枠本体１３ａとの間の空間に配置される。すなわち、障子２０は、左縦枠１３の見付け方向延出部１３ｃと右縦枠１４の見付け方向延出部１４ｃより浴室側に配置され、左縦枠１３及び右縦枠１４のシール材嵌合部１３ｅ、１４ｅに嵌合された枠側シール材３０が障子２０側に向くように配置されている。左縦枠１３及び右縦枠１４のシール材嵌合部１３ｅ、１４ｅに嵌合される枠側シール材３０は、同一部材であり、左右が反転して対称となるように配置にされてシール材嵌合部１３ｅ、１４ｅに嵌合される。
【００２３】
枠側シール材３０は、左縦枠１３及び右縦枠１４のシール材嵌合部１３ｅ、１４ｅに嵌合される嵌合基部３０ａと、嵌合基部３０ａがシール材嵌合部１３ｅ、１４ｅに嵌合されたときに、浴室側に向かって突出する突出部３０ｂと、突出した突出部３０ｂの先端側から浴室に向かって縦枠側に延出されて、回動する障子２０と摺接する摺接部３０ｃとを有している。嵌合基部３０ａは、突出部３０ｂ及び摺接部３０ｃより硬度が高い樹脂にて形成されている。
【００２４】
枠側シール材３０は、シール材嵌合部１３ｅ、１４ｅに嵌合されると、突出部３０ｂとシール材嵌合部１３ｅ、１４ｅにおける、框体の内周側の部位とが見込み方向に繋がるように配置される。そして、枠側シール材３０が取り付けられた枠体１０に障子２０が閉止した状態にて取り付けられると、枠側シール材３０の突出部３０ｂが左縦框２３及び右縦框２４にそれぞれ当接され、摺接部３０ｃの先端が脱衣室側に移動するように弾性変形して後述する障子２０の傾斜部２３ｂ、２４ｂに当接された状態となる。
【００２５】
障子２０は、上框２１、下框２２、左右の縦框２３、２４が矩形状に枠組みされており、左右の両側にそれぞれ配置される左右の縦框２３、２４の間に、上框２１と下框２２とが、それらの小口が左右の縦框２３、２４の側面に当接されてビスにて固定され、内周側は面材２５にて閉塞されている。上框２１、下框２２、左右の縦框２３、２４はいずれも押出成形部材である。
【００２６】
障子２０は、左縦枠１３側にて、下枠１２及び左縦框２３の上部に設けられた回動ピン１５が上枠１１及び左縦框２３の下部に設けられた回動ピン受け１６と係合して回動自在に設けられており、障子２０を開く際には、障子２０が浴室側に移動するように構成されている。また、本実施形態の障子２０の回動中心は、障子２０の厚み方向において障子２０の中央より浴室面側に偏らせて配置されている。このため、障子２０が回動されて右縦框２４が浴室側に移動すると、左縦框２３は、左縦枠１３のシール材嵌合部１３ｅとの距離が広がるように回動する。すなわち、見込み方向において、閉止された状態の障子２０に対し、開かれた障子２０が張り出す側となる障子張出側は浴室側に相当し、障子張出方向とは反対側は脱衣室側に相当する。
【００２７】
障子２０の左縦框２３は、左縦枠１３側の端部の浴室側が左縦枠１３側に向かって脱衣室側に湾曲する湾曲部２３ａをなし、脱衣室側が左縦枠１３側に向かって浴室側に傾斜する傾斜部２３ｂをなして、左縦枠１３側の端部の厚み、すなわち、左縦枠１３と対向する部位の幅が、左縦枠１３の幅より狭く形成されている。この厚みが薄くなった部位、すなわち湾曲部２３ａと傾斜部２３ｂとの間に、閉塞部材としての水密材３２が嵌合される水密材嵌合部２３ｃが設けられている。
【００２８】
水密材嵌合部２３ｃは、障子２０を閉じた際に、左縦枠１３の右側壁１３ｂと対向するように、上端から下端に亘って形成されている。水密材嵌合部２３ｃは、左縦框２３において、右縦框側に窪む凹部であり、凹部の開放された側の先端となる、湾曲部２３ａ及び傾斜部２３ｂの縁に、見込み方向に突出して水密材３２を保持する保持突起２３ｄがそれぞれ形成されている。
【００２９】
水密材３２は、左縦框２３の水密材嵌合部２３ｃに嵌合されたときに、２つの保持突起２３ｄ間に配置される板状の嵌合壁部３２ａと、嵌合壁部３２ａの、障子２０の厚み方向
における両端から突出され水密材嵌合部２３ｃに挿入されて保持突起２３ｄに係合される嵌合片３２ｂと、嵌合壁部３２ａの脱衣室側の端部（以下、嵌合脱衣室端という）３２ｅと繋がって円弧状をなし障子２０が閉止されたときに左縦枠１３に当接される縦枠当接部３２ｃと、嵌合壁部３２ａの浴室側の端部と繋がって、障子２０が閉止された状態にて浴室側に向かって左縦枠１３側に傾斜するように形成され先端が縦枠当接部３２ｃと繋がった連結部３２ｄとを有して一体に形成されている。すなわち、水密材３２は、嵌合壁部３２ａと縦枠当接部３２ｃと連結部３２ｄとが環状に繋がって中空部３２ｇを形成する部材である。
【００３０】
そして、縦枠当接部３２ｃ及び連結部３２ｄは、嵌合壁部３２ａ及び嵌合片３２ｂより硬度が低い軟質の樹脂にて形成され、縦枠当接部３２ｃ及び連結部３２ｄと嵌合壁部３２ａとが繋がっている部位の近傍には、縦枠当接部３２ｃ及び連結部３２ｄの厚みが薄くなる薄肉部３２ｆが設けられている。このため、水密材３２は、硬質樹脂からなる嵌合壁部３２ａ及び嵌合片３２ｂにて左縦框２３に強固に嵌合されるとともに、軟質樹脂からなる縦枠当接部３２ｃ及び連結部３２ｄと薄肉部３２ｆとによって、中空部３２ｇが狭くなるように、すなわち、縦枠当接部３２ｃと連結部３２ｄとが近接する方向に復元可能に圧縮されるように形成されている。ここで、本実施形態においては、縦枠当接部３２ｃ及び連結部３２ｄが低硬度部に相当する。
【００３１】
また、縦枠当接部３２ｃの外周面の輪郭は、水密材３２が左縦框２３に取り付けられた状態にて、回動中心Ｃから等距離の円弧状をなすように形成されている。より具体的には、縦枠当接部３２ｃの外周面の輪郭は、嵌合片３２ｂの嵌合脱衣室端３２ｅと回動ピン１５の中心との距離を半径として、回動ピン１５を中心として移動したときの嵌合脱衣室端３２ｅの軌跡をなすように形成されている。そして、水密材３２が水密材嵌合部２３ｃに嵌合されたときに、縦枠当接部３２ｃの脱衣室側の縁部と傾斜部２３ｂ側の保持突起２３ｄとは、それらの外周面が大きな段差を形成することなく、輪郭がほぼ繋がるように構成されている。
【００３２】
そして、水密材３２が取り付けられた障子２０が枠体１０に回動自在に取り付けられて閉止されると、水密材３２は左縦框２３と左縦枠１３との間にて圧縮され、縦枠当接部３２ｃと連結部３２ｄとが繋がっている部位は、障子２０の浴室面とより浴室側に突出している。
【００３３】
本実施形態の建具１は、図３に示すように、障子２０が閉止された状態にて、右縦枠１４に設けられた枠側シール材３０の突出部３０ｂの先端が右縦框２４の脱衣室側面に当接されるとともに、弾性変形した摺接部３０ｃが右縦框２４の脱衣室側面に当接されている。また、左縦枠１３に設けられた枠側シール材３０の突出部３０ｂの先端が左縦框２３の脱衣室側面に当接されるとともに、弾性変形した摺接部３０ｃが左縦框２３の傾斜部２３ｂに当接されている。さらに、左縦框２３の左縦枠１３側に設けられた水密材３２が、左縦枠１３の左縦枠本体１３ａとの間にて圧縮されている。
【００３４】
障子２０を浴室側に移動させて開いていくと、右縦枠１４に設けられた枠側シール材３０の突出部３０ｂから右縦框２４から離れるとともに、図４（ｂ）に示すように、左縦枠１３に設けられた枠側シール材３０の突出部３０ｂの先端が左縦框２３から離れ、弾性変形している摺接部３０ｃが左縦框２３の傾斜部２３ｂと摺接する。このとき、水密材３２は、障子２０の回動に伴って左縦枠１３の左縦枠本体１３ａを摺接しつつ脱衣室側に移動する。
【００３５】
さらに障子２０を回動すると、図４（ｃ）に示すように、左縦框２３に設けられた水密材３２の縦枠当接部３２ｃは、左縦枠１３の左縦枠本体１３ａから離れて枠側シール材３０の摺接部３０ｃと摺接しつつ回動し始め、障子２０が９０度回動したときに、図４（ｄ）に示すように、最も障子２０が開いた状態となり障子２０の回動が規制される。障子２０が最も開いた状態では、左縦框２３に設けられた水密材３２の縦枠当接部３２ｃと左縦枠１３に設けられた枠側シール材３０の摺接部３０ｃは、水密材３２及び枠側シール材３０の弾性変形により互いに押圧しつつ接触している状態が保たれている。
【００３６】
本実施形態の建具１によれば、枠組みされた枠体１０の左縦枠１３と、左縦枠１３側に回動自在に支持された障子２０との間は、枠側シール材３０と水密材３２とにて障子２０が回動する際に摺接して閉塞されているので、障子２０が回動したとしても左縦枠１３と障子２０との間に空隙が生じない。このため、指を挟むことがない建具１を提供することが可能である。また、水密材３２は、障子２０が閉止されているときには左縦枠１３との間にて圧縮されているので、障子２０と左縦枠１３との間の水密性を確保することが可能である。このため、指を挟むことがないばかりでなく水密性にも優れた建具１を提供することが可能である。
【００３７】
障子２０が回動する開き戸は通常、障子２０を開く際には、枠体１０に対して戸先が移動する側と反対側において、障子２０と左縦枠１３との間の、手前の空間が広くなり、指が近づきやすくなる。本実施形態の建具１によれば、枠側シール材３０が、障子２０が開く際に戸先が移動する浴室側と反対の脱衣室側に設けられており、浴室側に突出されているので、障子２０を開く際に、障子２０と左縦枠１３との間に指が近づきやすくなる側に、枠側シール材３０が位置している。このため、より効果的に指を挟むことを防止することが可能である。また、枠側シール材３０は、浴室側に突出されているので、障子２０を閉じた際に枠側シール材３０が、枠体１０の面外方向に突出しにくい。このため、意匠性にも優れた建具１を提供することが可能である。
【００３８】
また、水密材３２が障子２０の見付け方向に圧縮可能な中空部３２ｇを有しているので、中実な部材より同一の力に対する変形量を大きくすることが可能である。このため、水密材３２を中空部３２ｇにて圧縮することにより、より大きく変形させて確実に圧縮させることが可能である。
【００３９】
また、中空部３２ｇの外周側の輪郭は、障子２０が回動する際の回動中心と同心の曲面にて形成されているので、回動中心Ｃと中空部３２ｇの外周側の輪郭となる縦枠当接部３２ｃの外周面との距離が一定であり、水密材３２が障子２０と左縦枠１３との間にて圧縮される際には、ほぼ一定の力にて同様に圧縮させることが可能である。
【００４０】
また、障子２０の回動中心が、閉止状態における障子２０の見付け方向における中央より浴室側に偏った位置に設けられ、水密材３２は障子２０の見込み方向の幅より浴室側に延出されているので、障子２０が開き始めても即座に左縦枠１３と水密材３２とが離れず、水密材３２が圧縮されている状態を維持することが可能である。
【００４１】
また、水密材３２は、中空部３２ｇが変形し易いように縦枠当接部３２ｃ及び連結部３２ｄが嵌合壁部３２ａ及び嵌合片３２ｂより硬度が低い樹脂にて形成されており、さらに縦枠当接部３２ｃ及び連結部３２ｄと嵌合壁部３２ａとが繋がっている部位の近傍に薄肉部３２ｆが設けられているので、障子２０の開閉操作により容易に中空部３２ｇを弾性変形させて圧縮させることが可能である。
【００４２】
また、障子２０と左縦枠１３との間に指が近づきやすい浴室側と脱衣室側にて障子２０と左縦枠１３との間を閉塞し、閉塞された部位の浴室側にて水密材３２が圧縮されているので、浴室側からの水や湿気等の進入を防止することが可能である。また、障子２０と左縦枠１３との間は、圧縮された水密材３２と、水密材３２に当接された枠側シール材３０とにより二重に閉塞されているので、より高い水密性を確保することが可能である。
【００４３】
また、障子２０は、浴室と脱衣室とを仕切る浴室ドアであり、浴室側が、障子２０の戸先側が移動される側となるので、浴室からの水や湿気等が脱衣室側に進入することを防止することが可能である。
【００４４】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【００４５】
例えば、上記実施形態においては、図５（ａ）に示すように、縦枠当接部３２ｃ及び連結部３２ｄが嵌合壁部３２ａ及び嵌合片３２ｂより硬度が低く形成されている例について説明したが、これに限るものではない。具体的には、図５（ｂ）に示すように、縦枠当接部３２ｃ及び連結部３２ｄの嵌合壁部３２ａとの接合部分３２ｈのみの硬度を低くして形成しても良い。この場合には、水密材３２の形状、特に縦枠当接部３２ｃの輪郭を大きく変形させることなく弾性変形させることが可能である。このため、低硬度部より変形しにくい部位を左縦枠１３と当接させることにより安定した状態にて水密材３２を障子２０と左縦枠１３との間にて圧縮させることが可能である。また、図５（ｃ）のように、水密材３２の硬度は均一であり、薄肉部３２ｆのみ備えたり、薄肉部３２ｆがなく硬度が低い部材にて形成されている形態であっても構わない。また、図５（ｄ）に示すように、嵌合壁部３２ａの一方の端部３２ｉと縦枠当接部３２ｃとを縦枠当接部３２ｃの、左縦枠１３側に当接されない側にて、屈曲しやすく傾斜する２本の腕部３２ｊが薄肉部３２ｋにて接合された連結部３２ｄにて連結されていてもよい。また、図５（ｅ）、図５（ｆ）に示すように、嵌合壁部３２ａと嵌合片３２ｂとを除いて硬度が低い部材にて形成し、縦枠当接部３２ｃと嵌合壁部３２ａとの接合部が嵌合壁部３２ａとほぼ直交するような腕部３２ｌを介して接合されていてもよい。
【符号の説明】
【００４６】
１  建具、１０  枠体、１１  上枠、１２  下枠、１３  左縦枠、
１３ａ  左縦枠本体、１３ｂ  右側壁、１４  右縦枠、１５  回動ピン、
１６  回動ピン受け、２０  障子、３０  枠側シール材、３２  水密材、
３２ａ  嵌合壁部、３２ｂ  嵌合片、３２ｃ  縦枠当接部、３２ｄ  連結部、
３２ｅ  嵌合脱衣室端、３２ｆ  薄肉部、３２ｇ  中空部、３２ｈ  接合部分、
３２ｉ  端部、３２ｊ  腕部、３２ｋ  薄肉部、３２ｌ  腕部、Ｃ  回動中心
【図１】
0005562823.tif 000002
【図２】
0005562823.tif 000003
【図３】
0005562823.tif 000004
【図４】
0005562823.tif 000005
【図５】
0005562823.tif 000006